(57)【要約】【課題】  簡単に詰め替え作業を行うことができ、且つ液体詰め替え用容器の意匠を柔軟に変更することが可能で、また、当該液体詰め替え用容器の意匠をポンプ付液体供給容器の意匠として利用可能なポンプ付液体供給容器及びそれに供する液体詰め替え用容器を提供する。【解決手段】  上部に円盤状フランジを有する箱体状に形成され、前記円盤状フランジ上面にラミネートフィルムを接着して箱体内部に液体を収納する液体詰め替え用容器部と、内周側面に前記液体詰め替え用容器部の前記円盤状フランジが嵌入して密着可能となる溝部を凹設して、上部に液体を排出するポンプを装備し、前記ポンプ下方に液体吸込用パイプを延接した軟質樹脂製の蓋部と、を備える。【選択図】  図１
2005313990.tif 000002
【特許請求の範囲】
【請求項１】
上部に円盤状フランジを有する箱体状に形成され、前記円盤状フランジ上面にラミネートフィルムを接着して箱体内部に液体を収納する液体詰め替え用容器部と、
内周側面に前記液体詰め替え用容器部の前記円盤状フランジが嵌入して密着可能となる溝部を凹設して、上部に液体を排出するポンプを装備し、前記ポンプ下方に液体吸込用パイプを延接した軟質樹脂製の蓋部と、を備え、
前記蓋部に前記液体詰め替え用容器部の前記円盤状フランジが嵌入される際、前記液体吸込用パイプが前記ラミネートフィルムを貫通して前記液体詰め替え用容器部の底面近傍に到達するように構成されたことを特徴とするポンプ付液体供給容器。
【請求項２】
前記ラミネートフィルムには、前記液体吸込用パイプの外径より僅少なる直径を有する貫通孔が予め形成されていることを特徴とする請求項１記載のポンプ付液体供給容器。
【請求項３】
前記貫通孔の近傍には、極小径の空気孔が更に形成されていることを特徴とする請求項２記載のポンプ付液体供給容器。
【請求項４】
前記貫通孔及び前記空気孔は、剥離可能なシート状シールで予め覆われていることを特徴とする請求項３記載のポンプ付液体供給容器。
【請求項５】
前記液体吸込用パイプの前記ラミネートフィルムに貫通させる側の端部は、先鋭となるように形成されていることを特徴とする請求項１から４のいずれか一項記載のポンプ付液体供給容器。
【請求項６】
軟質樹脂製のポンプ付蓋部の内周側面に凹設した溝部に嵌入して密着可能となるように形成された円盤状フランジと、
液体を保持する箱体と、を有し、
前記円盤状フランジ上面にラミネートフィルムを接着して箱体内部に液体を収納するように構成されたことを特徴とするポンプ付液体供給容器に供する液体詰め替え用容器。
【請求項７】
前記ラミネートフィルムには、前記ポンプ下方に延設した液体吸込用パイプの外径より僅少なる直径を有する貫通孔が予め形成されていることを特徴とする請求項６記載のポンプ付液体供給容器に供する液体詰め替え用容器。
【請求項８】
前記貫通孔の近傍に、極小径の空気孔が更に形成されていることを特徴とする請求項７記載のポンプ付液体供給容器に供する液体詰め替え用容器。
【請求項９】
前記貫通孔及び前記空気孔は、剥離可能なシート状シールで予め覆われていることを特徴とする請求項８記載のポンプ付液体供給容器に供する液体詰め替え用容器。
【発明の詳細な説明】
【技術分野】
【０００１】  本発明は、化粧品や香水などの液体を、上部に装備したポンプで供給するポンプ付液体供給容器及びそれに供する液体詰め替え用容器に関し、特に、柔軟なデザインが可能な液体詰め替え用容器をそのままポンプ付液体供給容器に装着することにより、詰め替えが容易で意匠性に優れるポンプ付液体供給容器及びそれに供する液体詰め替え用容器に関する。
【背景技術】
【０００２】  シャンプーや液体洗剤など、手動ポンプ付き樹脂製容器に液体を貯蔵して使用する形態の商品では、リサイクル意識の向上や環境への配慮などから、詰め替え用の液体を樹脂製袋体などで供給するシステムが普及している。袋体で供給される液体は樹脂製容器への詰め替え作業が煩雑であるため、これを容易にするための各種提案が行われている。例えば、上下両側に分割可能なポンプ付き樹脂製容器の下部容器内に詰め替え用液体が入った樹脂製袋体をそのまま載置し、その上にポンプ付き樹脂製容器の上部を装着することにより、ポンプから下方に延設された液体吸込用パイプが袋体に貫入されて液体の吸入が可能になる容器などが提案されている（例えば、特許文献１から３を参照）。また、詰め替え用の液体を収納する樹脂製袋体についても、液体吸込用パイプを貫入しやすい材質の袋体などが提案されている（例えば、特許文献４及び５参照）。
【特許文献１】特開平６−１７１６９８（第２−３頁、第２図）
【特許文献２】特開平６−０４８４６６（第２−３頁、第１図）
【特許文献３】特開２００２−６８３４５号公報（第４−５頁、第１図）
【特許文献４】特開平６−２５５６８４（第２−３頁、第１図）
【特許文献５】特開平７−１７２４６６（第２−３頁、第１図）
【発明の開示】
【発明が解決しようとする課題】
【０００３】  しかしながら、上記従来のポンプ付液体供給容器は、ほとんどが凡そ同じ外観形状をしており、容器のデザインの選択肢が少ないという問題があった。また、液体詰め替え用の袋体や箱体もその実用性のみが重視され意匠性に劣るという問題があった。更には、例えば、同じブランドのシャンプーとリンスではポンプ付液体供給容器が同じ外観形状をしている場合が多く、どの液体が入っているかを容器の外観から判断しにくいため、液体詰め替え時に間違ってしまうというような問題もあった。【０００４】  ところで、化粧品や香水などの商品は、容器のデザインも商品の高級感やブランドイメージを訴求するための重要な因子となる。例えば、斬新なデザインの容器はそれだけで消費者に香水や化粧品などを特定させる効果がある。従って、たとえ液体詰め替え用容器であっても、それが単体で販売される以上は意匠性に優れることが要求される。また、同じ香水や化粧品であっても、消費者が趣向に応じて液体詰め替え用容器のデザインを選択して、更に、それがポンプ付液体供給容器の主要な外観として利用できれば、消費者の購買意欲を促進し、商品販売上の大きなメリットとなる。【０００５】  そこで本発明は上記従来の課題に鑑みてなされたものであり、簡単に詰め替え作業を行うことができ、且つ液体詰め替え用容器の意匠を柔軟に変更することが可能で、また、当該液体詰め替え用容器の意匠をポンプ付液体供給容器の意匠として利用可能なポンプ付液体供給容器及びそれに供する液体詰め替え用容器を提供することを目的とする。
【課題を解決するための手段】
【０００６】  上記課題を解決するため、本発明の請求項１に記載のポンプ付液体供給容器は、上部に円盤状フランジを有する箱体状に形成され、前記円盤状フランジ上面にラミネートフィルムを接着して箱体内部に液体を収納する液体詰め替え用容器部と、内周側面に前記液体詰め替え用容器部の前記円盤状フランジが嵌入して密着可能となる溝部を凹設して、上部に液体を排出するポンプを装備し、前記ポンプ下方に液体吸込用パイプを延接した軟質樹脂製の蓋部と、を備え、前記蓋部に前記液体詰め替え用容器部の前記円盤状フランジが嵌入される際、前記液体吸込用パイプが前記ラミネートフィルムを貫通して前記液体詰め替え用容器部の底面近傍に到達するように構成されたことを特徴とする。
上記構成によれば、円盤状フランジの形状が同じであれば、液体詰め替え用容器部の箱体の形状が異なっても同じポンプ付蓋部を装着することができるので、ポンプ付液体供給容器のデザインを柔軟に変更することができる。【０００７】  また、本発明の請求項２に記載のポンプ付液体供給容器は、請求項１記載のポンプ付液体供給容器であって、前記ラミネートフィルムには、前記液体吸込用パイプの外径より僅少なる直径を有する貫通孔が予め形成されていることを特徴とする。
上記構成によれば、液体吸込用パイプがラミネートフィルムを容易に貫入することができる。【０００８】  また、本発明の請求項３に記載のポンプ付液体供給容器は、請求項２記載のポンプ付液体供給容器であって、前記貫通孔の近傍には、極小径の空気孔が更に形成されていることを特徴とする。
上記構成によれば、液体吸込用パイプを介して液体が外部へ排出される際に容器内の空気置換が行われるので、液体を外部へ円滑に供給できる。【０００９】  また、本発明の請求項４に記載のポンプ付液体供給容器は、請求項３記載のポンプ付液体供給容器であって、前記貫通孔及び前記空気孔は、剥離可能なシート状シールで予め覆われていることを特徴とする。
上記構成によれば、貫通孔及び空気孔からの液体の漏洩が防止されるため、液体詰め替え用容器部を単体で搬送、携帯等することが可能となる。【００１０】  また、本発明の請求項５に記載のポンプ付液体供給容器は、請求項１から４のいずれか一項記載のポンプ付液体供給容器であって、前記液体吸込用パイプの前記ラミネートフィルムに貫通させる側の端部は、先鋭となるように形成されていることを特徴とする。
上記構成によれば、液体吸込用パイプがラミネートフィルムを容易に貫入することができる。【００１１】  また、本発明の請求項６に記載のポンプ付液体供給容器に供する液体詰め替え用容器は、軟質樹脂製のポンプ付蓋部の内周側面に凹設した溝部に嵌入して密着可能となるように形成された円盤状フランジと、液体を保持する箱体と、を有し、前記円盤状フランジ上面にラミネートフィルムを接着して箱体内部に液体を収納するように構成されたことを特徴とする。
上記構成によれば、円盤状フランジの形状が同じであれば、液体詰め替え用容器の箱体の形状が異なっても同じポンプ付蓋部を装着することができるので、液体詰め替え用容器のデザインを柔軟に変更することができる。
できる。【００１２】  また、本発明の請求項７に記載のポンプ付液体供給容器に供する液体詰め替え用容器は、請求項６記載のポンプ付液体供給容器に供する液体詰め替え用容器であって、前記ラミネートフィルムには、前記ポンプ下方に延設した液体吸込用パイプの外径より僅少なる直径を有する貫通孔が予め形成されていることを特徴とする。
上記構成によれば、液体吸込用パイプがラミネートフィルムを容易に貫入することができる。【００１３】  また、本発明の請求項８に記載のポンプ付液体供給容器に供する液体詰め替え用容器は、請求項７記載のポンプ付液体供給容器に供する液体詰め替え用容器であって、前記貫通孔の近傍に、極小径の空気孔が更に形成されていることを特徴とする。
上記構成によれば、液体吸込用パイプを介して液体が外部へ排出される際に容器内の空気置換が行われるので、液体を外部へ円滑に供給できる。【００１４】  また、本発明の請求項９に記載のポンプ付液体供給容器に供する液体詰め替え用容器は、請求項８記載のポンプ付液体供給容器に供する液体詰め替え用容器であって、前記貫通孔及び前記空気孔は、剥離可能なシート状シールで予め覆われていることを特徴とする。
上記構成によれば、貫通孔及び空気孔からの液体の漏洩が防止されるため、液体詰め替え用容器を搬送、携帯等することが可能となる。
【発明の効果】
【００１５】  本発明のポンプ付液体供給容器及びそれに供する液体詰め替え用容器によれば、液体詰め替え用容器のデザインを自由に変更することができ、また、そのデザインがポンプ付液体供給容器のデザインとして利用できるので、容器の高い意匠性に基づいて商品の高級感やブランドイメージ等を訴求することができる。
【発明を実施するための最良の形態】
【００１６】  以下、本発明の実施の形態におけるポンプ付液体供給容器及びそれに供する液体詰め替え用容器について、図面を用いて詳細に説明する。【００１７】  図１は、本発明の実施の形態におけるポンプ付液体供給容器の断面形状を示す図である。ポンプ付液体供給容器は、主に、ポンプ部１０、蓋部２０、液体詰め替え用容器部３０などで構成される。【００１８】  ポンプ部１０は、プッシュ式のポンプで、ポンプ部１０の下方には、可撓性樹脂または硬質ゴムなどで形成された液体吸込用パイプ１１が液体詰め替え用容器部３０の底面に到達する程度にまで延設されている。ポンプ部１０の上部が手動で押下されることにより容器内の液体が吸引され、噴出口１２から液体が噴射される。【００１９】  蓋部２０は、ポリエチレンなどの軟質樹脂で形成され、螺合によりポンプ部１０が装着されている。蓋部２０は椀型の形状で、その内周側面には溝部２１が凹設されており、後述する液体詰め替え用容器部３０の円盤状フランジ部３１がここに嵌入して密着する。【００２０】  液体詰め替え用容器部３０は、円盤状フランジ部３１と箱体部３２とで構成され、液体を収納する。円盤状フランジ部３１の上面にはラミネートフィルム３３が接着され、更にラミネートフィルム３３の上面には液体吸込用パイプ１１を貫入させる貫通孔や空気孔を封止するための封止シール３４が接着されていて、液体の漏洩を防止する。図２は、本発明の実施の形態におけるポンプ付液体供給容器の液体詰め替え用容器部３０、即ち、ポンプ付液体供給容器に供される液体詰め替え用容器の外観を示す斜視図である。円盤状フランジ部３１の上面に接着されたラミネートフィルム３３の上面には、貫通孔３５や空気孔３６を覆う封止シール３４が貼付されている。液体詰め替え用容器を蓋部２０に装着する際は、この封止シール３４を剥がして貫通孔３５及び空気孔３６を露出させ、液体吸込用パイプ１１を貫入させながら円盤状フランジ部３１を前述の溝部２１に嵌入する。そのため、液体をこぼしたりすることなく容易に液体の詰め替え作業を行うことができる。尚、封止シール３４は、図２に示すように貫通孔３５や空気孔３６の近傍のみを覆うような形状でもよいし、図３に示すようにラミネートフィルム全体を覆うような形状としてもよい。【００２１】  尚、ラミネートフィルム３３は、例えば、アルミニウム合金箔の両面に合成樹脂をコーティングしたり張り合わせたりして作製したフィルムなど、アルミニウム合金箔をベースとした公知のキャップシール材などを用いてよい。また、封止シール３４も合成樹脂製のシートや合成樹脂をコーティングした紙など、公知のシール材を用いてよい。【００２２】  ところで、ラミネートフィルム３３に貫入させる液体吸込用パイプ１１の末端は、図４に示すように、切欠き状（ａ）またはテーパ状（ｂ）に先端が尖った形状としている。これにより、液体吸込用パイプ１１の貫入が容易に行える。また、貫通孔３５の直径を液体吸込用パイプ１１の外径より僅かに小さい程度としている。これにより、図５に示すように、液体吸込用パイプ１１の貫入時にラミネートフィルム３３と液体吸込用パイプ１１が適切に密着する。【００２３】  次に、液体詰め替え用容器部３０、��ちポンプ付液体供給容器に供する液体詰め替え用容器の外観形状例を示す。容器の箱体部３２は、図６に示すような円柱や円すい台の形状だけでなく、図７に示すような角柱や四角すい台の形状や、図８に示すような複雑な形状をデザインすることができる。これは、箱体部３２上部の円盤状フランジ部３１の大きさ及び厚み等の形状が同じであればポンプ部１０を装着した蓋部２０に嵌入することができるためである。【００２４】  これらの箱体部３２に液体を充填し、ラミネートフィルム３３、封止シール３４を接着すれば、液体詰め替え用容器として提供できる。そしてこの液体詰め替え用容器を、ポンプ部１０を装着した蓋部２０に嵌入すれば、ポンプ付液体供給容器として使用できる。このポンプ付液体供給容器の外観は、液体詰め替え用容器のデザインで代表されるので、化粧品や香水の種類に応じて異なる形状の詰め替え用容器を提供すれば、化粧品や香水などの商品についてその高級感やブランドイメージ等をデザインで訴求することができ、しかも、消費者は容器の外観から容易に内部の液体を特定することができる。また、従来の詰め替え用袋体などのような煩雑な詰め替え作業が不要で、液体をこぼしたりすることなく簡単に詰め替え作業を行うことができる。更に、同じ化粧品や香水であってもデザインの異なる液体詰め替え用容器を提供すれば、消費者は趣向に応じて容器を選択することができ、購買意欲を促進する。【００２５】  尚、以上の実施の形態ではプッシュ式のポンプを用いたが、これにとらわれるものではなく、その他にもトリガ式などあらゆる手動式のポンプを用いても本発明の要旨が実行可能であることは言うまでもない。
【産業上の利用可能性】
【００２６】  本発明にかかわるポンプ付液体供給容器及び液体詰め替え用容器は、液体の詰め替え作業が簡単で、且つ液体詰め替え用容器の意匠を柔軟に変更でき、また、当該液体詰め替え用容器の意匠をポンプ付液体供給容器の意匠として利用できるので、容器の意匠性に基づいて商品の高級感やブランドイメージ等を訴求することができるという効果を有し、高い意匠性が要求される化粧品や香水などのポンプ付液体供給容器及びそれに供する液体詰め替え用容器において有用である。
【図面の簡単な説明】
【００２７】
【図１】  本発明の実施の形態におけるポンプ付液体供給容器の断面形状を示す図である。
【図２】  本発明の実施の形態におけるポンプ付液体供給容器の液体詰め替え用容器部、即ち、ポンプ付液体供給容器に供される液体詰め替え用容器の外観を示す図である。
【図３】  封止シールの別の形状例を示す図である。
【図４】  本発明の実施の形態におけるポンプ付液体供給容器の液体吸込用パイプの先端形状例を示す図である。
【図５】  液体吸込用パイプが、ラミネートフィルムに形成した液体吸込用パイプの外径より僅かに小さい直径の貫通孔に貫入する状況を示す模式図である。
【図６】  液体詰め替え用容器の外観形状例を示す図である（円すい台）
【図７】  液体詰め替え用容器の外観形状例を示す図である（四角すい台）
【図８】  液体詰め替え用容器の外観形状例を示す図である（複雑な形状）
【符号の説明】
【００２８】１０  ポンプ
１１  液体吸込用パイプ
１２  噴出口
２０  蓋部
２１  溝部
３０  液体詰め替え用容器部
３１  円盤状フランジ部
３２  箱体部
３３  ラミネートフィルム
３４  封止シール
３５  貫通孔
３６  空気孔
【図１】
2005313990.tif 000003
【図２】
2005313990.tif 000004
【図３】
2005313990.tif 000005
【図４】
2005313990.tif 000006
【図５】
2005313990.tif 000007
【図６】
2005313990.tif 000008
【図７】
2005313990.tif 000009
【図８】
2005313990.tif 000010